(57)【要約】【課題】無線ＬＡＮを利用したＰＵＳＨ型の情報配信サービスにおいて、ユーザが本当に必要とする情報のみ配信するシステムを提供すること。また、提供の際にネットワークの管理をシンプルにすること、ユーザの利便性を向上させること。【解決】無線ＬＡＮ端末が配信を希望する情報に情報種別名という属性を与え、その情報種別名とネットワークの識別名であるＳＳＩＤとを同一名称にする。さらに、その情報種別名と無線ＬＡＮ端末に情報を配信する情報配信サーバのホスト名も同一にする。無線ＬＡＮ端末のユーザは、配信を希望する情報種別名のみ知っていれば、同一名のＳＳＩＤで管理されるネットワークに接続し、情報配信サーバにアクセスすることがきる。【選択図】図１
2007005892.tif 000002
【特許請求の範囲】
【請求項１】
無線ＬＡＮ端末と、アクセスポイントと、情報配信サーバとからなる情報配信システムであって、
前記無線ＬＡＮ端末が情報配信を希望する情報の情報種別名と、前記アクセスポイントが報知するネットワーク識別子と、前記情報配信サーバのホスト名が予め定められた対応関係となっていることを特徴とする情報配信システム。
【請求項２】
前記無線ＬＡＮ端末は、前記情報種別名に対応したネットワーク識別子を用いてネットワーク接続し、前記情報種別名に対応した情報配信サーバから前記情報種別名に対応した情報の配信をうけることを特徴とする請求項１に記載の情報配信システム。
【請求項３】
前記情報配信サーバに対応するＲＡＤＩＵＳサーバをさらに設け、前記無線ＬＡＮ端末が前記情報配信サーバから情報配信を受ける前に、前記ＲＡＤＩＵＳサーバに認証されることを必要とすることを特徴とする請求項２に記載の情報配信システム。
【請求項４】
無線ＬＡＮ端末と、アクセスポイントと、情報配信サーバとからなる情報配信システムであって、
前記無線ＬＡＮ端末が情報配信を希望する情報の情報種別名と、前記アクセスポイントが報知するネットワーク識別子と、前記情報配信サーバのホスト名が同一名であることを特徴とする情報配信システム。
【請求項５】
前記情報配信システムはＶＬＡＮスイッチをさらに設け、
前記無線ＬＡＮ端末は、前記情報種別名と対応する情報取得命令を記憶し、
前記アクセスポイントは、前記ネットワーク識別子と対応するＶＬＡＮタグを記憶し、
前記ＶＬＡＮスイッチは、前記ＶＬＡＮタグと対応するポートを記憶する
ことを特徴とする請求項４に記載の情報配信システム。
【請求項６】
無線ＬＡＮ端末と、アクセスポイントと、情報配信サーバとからなる情報配信システムの情報配信方法であって、
前記無線ＬＡＮ端末は、前記無線ＬＡＮ端末に記憶された情報配信を希望する情報の情報種別名と一対一対応するネットワーク識別子で管理されるネットワークに接続し、
さらに前記無線ＬＡＮ端末は、前記無線ＬＡＮ端末に記憶された情報配信を希望する情報の情報種別名と一対一対応するホスト名の情報配信サーバに対して、前記情報の配信を要求し、
前記アクセスポイントは、前記情報の配信の要求に前記ネットワーク識別子に対応したＶＬＡＮタグを付加することで前記情報配信サーバに転送し、
前記情報配信サーバは、前記要求に対応して前記無線ＬＡＮ端末に情報を配信することを特徴とする情報配信方法。
【請求項７】
無線送受信部と、
情報種別名と前記情報種別名と同一名のネットワーク識別子で管理されるネットワークへの接続要求及び前記情報種別名と同一名の情報配信サーバへ情報配信要求を記憶する記憶部と、
前記無線送受信部と前記記憶部を制御する制御部とを有し、
前記無線送受信部が、前記接続要求及び前記情報配信要求を行い、前記情報種別名に対応する情報受信をすることを特徴とする無線ＬＡＮ端末。
【請求項８】
前記記憶部は、前記記憶部に記憶された情報種別名に対して、前記情報種別名同一名のネットワーク識別子で管理されるネットワークへの接続要求及び前記情報種別名と同一名の情報配信サーバへ情報配信要求の可否を決定する情報を記憶することを特徴とする請求項７に記載の無線ＬＡＮ端末。
【請求項９】
無線ＬＡＮ端末が行う情報取得方法であって、
アクセスポイントが報知するネットワーク識別子を受信し、
前記ネットワーク識別子があらかじめ前記無線ＬＡＮ端末に記憶された情報種別名と同一である場合は、前記ネットワーク識別子を用いてネットワーク接続し、前記ネットワーク識別子と同一名の情報配信サーバから前記情報種別名に対応する情報を取得することを特徴とする情報取得方法。
【請求項１０】
無線送受信部と、
有線送受信部と、
前記無線送受信部と有線送受信部とを制御する制御部とを有し、
前記無線送受信部は、情報種別名と同一名のネットワーク識別子を用いて報知し、前記無線送受信部が無線ＬＡＮ端末から前記情報種別名と同一名のネットワーク識別子を用いた情報の取得の要求を受けた場合には、前記有線送受信部は、前記ネットワーク識別子に対応した情報サーバから情報を取得し、前記無線送受信部は、前記取得した情報を前記無線ＬＡＮ端末に送信することを特徴とするアクセスポイント。
【請求項１１】
前記アクセスポイントは、複数のネットワーク識別子を報知することができることを特徴とする請求項１０に記載のアクセスポイント。
【発明の詳細な説明】
【技術分野】
【０００１】
本発明は、情報配信システム、情報配信方法、無線ＬＡＮ端末、無線ＬＡＮ端末の情報取得方法、アクセスポイントに関する。特に、無線ＬＡＮシステムにおける情報配信の技術に関する。
【背景技術】
【０００２】
近年、携帯電話機、ＰＨＳ、無線ＬＡＮシステムなどの様々な無線技術が発達してきた。
【０００３】
無線ＬＡＮ技術は、１９９０年からＩＥＥＥ８０２委員会により標準化がスタートし８０２．１１ａ、８０２．１１ｂなど様々な規格が標準化されている（非特許文献１）。標準化に伴い、無線ＬＡＮ機器の普及も進んでいる。特に、近年は無線ＬＡＮ機器自体の価格も安価になり無線ＬＡＮを搭載するノートＰＣやＰＤＡや携帯電話機など（以下、無線ＬＡＮ端末という）も増加している。また、無線ＬＡＮで送受信できる情報の容量も通常の有線ＬＡＮと比べ遜色ないものとなっている。
【０００４】
無線ＬＡＮ技術に関連のある特許文献には、以下のようなものがある。
【０００５】
特許文献１には、情報配信サービスに関する技術が開示されている。特許文献１の発明では、携帯端末が直接公衆回線を介して配信サーバから情報を取得する場合に発生する公衆回線の通信料金が高いという問題点を解決するため、公衆回線を介して接続された情報提供装置から情報を受信して蓄積する配信サーバが設けられている。携帯端末は無線ＬＡＮを介して情報の配信を要求することにより、配信サーバにある情報を取得するため、従来必要であった公衆網の利用時に発生する通信料金がかからない。
【０００６】
特許文献２には、無線ＬＡＮを用いて情報を配信するシステムが開示されている。特許文献２の発明では、携帯情報端末が特定地点を通過するときに、無線通信を介してエージェントサーバから端末に情報が送られる。エージェントサーバは、利用者の管理を行っており、スケジュール管理、アドレス帳管理、情報共有、ユーザ固有情報などの機能を有する。携帯情報端末は、予めＷＯＲ（Ｗａｋｅ−ｏｎ  Ｒｉｎｇ、自動起動）機能を有し、必要に応じてエージェントサーバから情報を自動的に取得できるようになっている。携帯情報端末が、取捨選択して情報を取得する場合には、予めエージェントサーバ内の配信希望情報区分テーブルに登録しておき、エージェントサーバで取捨選択して携帯情報端末に配信するか、また、携帯情報端末に予め希望情報種類として登録しておき、携帯情報端末からエージェントサーバに、利用者ＩＤ、エリアＩＤのほか、希望情報種類を読み取って送る方法があると開示されている。
【０００７】
特許文献３には、無線ＬＡＮを用いて情報を配信するシステムが開示されている。特許文献３の発明では、複数のデータベースを管理するシンクロサーバが無線ＬＡＮに接続される。データベースには、個人情報管理データベース、地図情報データベース、観光地情報データベースなどが含まれる。情報配信のサービスを受ける携帯情報端末の利用者は、予め個人情報管理データベースに、所属団体、取得希望情報、利用目的などを登録しておく。無線ＬＡＮ設置場所から電波の届く範囲に、携帯情報端末が入ると、ＷＯＲ機能により、自動的にシンクロサーバに接続され、予め定められた情報が取得される。
【０００８】
特許文献４には、列車内の無線ＬＡＮシステムが開示されている。特許文献４の発明では、列車内に、アクセスポイント、ＲＡＤＩＵＳサーバ、ＤＨＣＰサーバ、音楽配信サーバ、ＷＥＢサーバ、ＤＮＳサーバ、ＰＲＯＸＹサーバ等を構成することにより、列車内での無線端末による無線ＬＡＮの通信を行う。無線端末は、無線ＬＡＮを介してインターネットにも接続可能となる。また、特許文献４には、列車内のＷＥＢサーバに、売店サイトを開設し、商品を販売することや、音楽配信サーバから無線端末へ、番組の音楽や画像を配信することが開示されている。  
【０００９】
特許文献５には、キャリアの無線通信網を利用した無線通信と、Ｂｌｕｅｔｏｏｔｈ（登録商標）を利用した無線通信との切り替え技術が開示されている。特許文献５の発明では、携帯電話機は、キャリアの無線通信網から配信される位置情報に基づいて、自端末がＢｌｕｅｔｏｏｔｈ（登録商標）の通信エリアに入ったかどうかを判断し、該エリアに入ったときは、Ｂｌｕｅｔｏｏｔｈ（登録商標）無線部を自動的に起動し、逆に該エリアから出たときは、Ｂｌｕｅｔｏｏｔｈ（登録商標）無線部の通電をＯＦＦにする。この技術により、消費電力の悪化やユーザの能動的な行動を要求することなく、キャリア以外のネットワークに確実に接続することができる。
【００１０】
特許文献６には、無線利用者端末とアクセスポイント間のアソシエーション処理の無駄をなくすことを目的とした無線ＬＡＮシステムへの接続技術が開示されている。特許文献６の発明では、無線利用者端末は、サービスベンダのＩＤと、サービスベンダへの接続のためのＩＤとパスワードとを含むＩＤを一緒にアクセスポイントに送付する。アクセスポイントは、まとまった二つのＩＤを用いて、サービスベンダに接続可能か否かを予め記憶されたテーブルを用いて判断し、可能である場合には、無線利用者端末にＳＳＩＤ（ネットワーク識別子の一つ）を送付する。無線利用者端末はそのＳＳＩＤを用いて、アソシエーションを行う。この技術により、無線利用者端末とアクセスポイントがアソシエーションを行った後に、サービスベンダへの接続が拒否されることがなく、アソシエーション処理の無駄をなくすことができる。
【００１１】
上述の特許文献１乃至６にもあるように、無線ＬＡＮを利用するユーザの増加に伴い、高速大容量の無線ＬＡＮのメリットを生かした情報配信サービスなどが提供されている。
【００１２】
一般に、無線ＬＡＮ端末が必要な情報を得る場合には、無線ＬＡＮのアクセスポイント配下に移動して手動で無線ＬＡＮに接続し、無線ＬＡＮ端末が情報配信サーバへアクセスし取得するか、ＰＵＳＨ型の情報配信サービスで情報を得るということになる。それぞれの方法には、以下のようなメリットとデメリットがある。
【００１３】
手動で情報配信サービスを受ける場合には、必要な情報を意識して取得するので取得効率はよい。しかし、公衆無線ＬＡＮは、セル範囲も一般的に１０メートルから１００メートルと狭いので、ユーザは、サービス提供エリアに移動し、かつサービスの提供を受けるために手動で操作をする必要があるなど面倒である（例えば、特許文献１、特許文献４）。
【００１４】
ＰＵＳＨ型で情報配信サービスを受ける場合には、自動的に情報が配信される反面、ユーザが本当に必要とする情報以外の情報も配信されてしまう（例えば、特許文献５）。また、情報配信を効率的に行う為には、予めネットワーク側のサーバ等にユーザの個人情報、ユーザが必要とする情報の種類などを登録しておく必要がある（例えば、特許文献２、特許文献３）。この場合、ユーザ毎に、必要とする情報の種類を管理し、その情報をネットワークで共有することが必要となる。その結果、管理が複雑になり、また管理を行うためのデータベース、サーバ等の機器を用意する必要が生じる。
【００１５】
また、ＰＵＳＨ型の情報配信サービスでも、特許文献２のように、携帯情報端末に予め希望情報種類を登録しておき、携帯情報端末からエージェントサーバに、利用者ＩＤ、エリアＩＤ、希望情報種類をＰＤＡより読み取って送ることもできる。しかし、利用者ＩＤ、エリアＩＤ、希望情報種類など複数の情報を管理しエージェントサーバに送信する必要があり、利用者は送信に必要な操作を行わなければならない。
【００１６】
【非特許文献１】松江英明、守倉正博監修,「８０２．１１高速無線ＬＡＮ教科書」，ＩＤＧジャパン，２００３年３月２９日，ｐ２−３
【特許文献１】特開２００１−２８５３３２
【特許文献２】特開２００４−０４８３９５
【特許文献３】特開２００４−０８００８４
【特許文献４】特開２００４−１７３１７９
【特許文献５】特開２００４−３５０１０８
【特許文献６】特開２００４−３６３８７８
【発明の開示】
【発明が解決しようとする課題】
【００１７】
本願発明の解決しようとする課題とは、上述のように、ＰＵＳＨ型の情報配信サービスにおいて、ユーザが本当に必要とする情報以外の情報が配信されてしまうということを防ぐことにある。
【００１８】
また、ＰＵＳＨ型の情報配信サービスにおいて、予めネットワーク側のサーバ等にユーザの個人情報、ユーザが必要とする情報の種類などを予め登録しておく手間を省くことも、本願発明の解決しようとする課題である。
【００１９】
また、ＰＵＳＨ型の情報配信サービスにおいて、予めユーザの個人情報等を登録するために必要なサーバ、データベースを設置する手間を省くことも、本願発明の解決しようとする課題である。
【課題を解決するための手段】
【００２０】
上記課題を解決するために、請求項１に記載の情報配信システムは、
無線ＬＡＮ端末と、アクセスポイントと、情報配信サーバとからなる情報配信システムであって、
前記無線ＬＡＮ端末が情報配信を希望する情報の情報種別名と、前記アクセスポイントが報知するネットワーク識別子と、前記情報配信サーバのホスト名が予め定められた対応関係となっていることを特徴とする。
【００２１】
また、好ましい態様として、前記情報配信システムは、前記情報種別名に対応したネットワーク識別子を用いてネットワーク接続し、前記情報種別名に対応した情報配信サーバから前記情報種別名に対応した情報の配信をうけてもよい。
【００２２】
また、好ましい態様として、前記情報配信システムは、前記情報配信サーバに対応するＲＡＤＩＵＳサーバをさらに設け、前記無線ＬＡＮ端末が前記情報配信サーバから情報配信を受ける前に、前記ＲＡＤＩＵＳサーバに認証されることを必要としてもよい。
【００２３】
上記課題を解決するために、請求項４に記載の情報配信システムは、
無線ＬＡＮ端末と、アクセスポイントと、情報配信サーバとからなる情報配信システムであって、
前記無線ＬＡＮ端末が情報配信を希望する情報の情報種別名と、前記アクセスポイントが報知するネットワーク識別子と、前記情報配信サーバのホスト名が同一名であることを特徴とする。
【００２４】
また、好ましい態様として、前記情報配信システムは、ＶＬＡＮスイッチをさらに設け、
前記無線ＬＡＮ端末は、前記情報種別名と対応する情報取得命令を記憶し、
前記アクセスポイントは、前記ネットワーク識別子と対応するＶＬＡＮタグを記憶し、
前記ＶＬＡＮスイッチは、前記ＶＬＡＮタグと対応するポートを記憶してもよい。
【００２５】
上記課題を解決するために、請求項６に記載の情報配信方法は、
無線ＬＡＮ端末と、アクセスポイントと、情報配信サーバとからなる情報配信システムの情報配信方法であって、
前記無線ＬＡＮ端末は、前記無線ＬＡＮ端末に記憶された情報配信を希望する情報の情報種別名と一対一対応するネットワーク識別子で管理されるネットワークに接続し、
さらに前記無線ＬＡＮ端末は、前記無線ＬＡＮ端末に記憶された情報配信を希望する情報の情報種別名と一対一対応するホスト名の情報配信サーバに対して、前記情報の配信を要求し、
前記アクセスポイントは、前記情報の配信の要求に前記ネットワーク識別子に対応したＶＬＡＮタグを付加することで前記情報配信サーバに転送し、
前記情報配信サーバは、前記要求に対応して前記無線ＬＡＮ端末に情報を配信することを特徴とする。
【００２６】
上記課題を解決するために、請求項７に記載の無線ＬＡＮ端末は、
無線送受信部と、
情報種別名と前記情報種別名と同一名のネットワーク識別子で管理されるネットワークへの接続要求及び前記情報種別名と同一名の情報配信サーバへ情報配信要求を記憶する記憶部と、
前記無線送受信部と前記記憶部を制御する制御部とを有し、
前記無線送受信部が、前記接続要求及び前記情報配信要求を行い、前記情報種別名に対応する情報受信をすることを特徴とする。
【００２７】
また、好ましい態様として、前記無線ＬＡＮ端末において、
前記記憶部は、前記記憶部に記憶された情報種別名に対して、前記情報種別名同一名のネットワーク識別子で管理されるネットワークへの接続要求及び前記情報種別名と同一名の情報配信サーバへ情報配信要求の可否を決定する情報を記憶してもよい。
【００２８】
上記課題を解決するために、請求項９に記載の情報取得方法は、
無線ＬＡＮ端末が行う情報取得方法であって、
アクセスポイントが報知するネットワーク識別子を受信し、
前記ネットワーク識別子があらかじめ前記無線ＬＡＮ端末に記憶された情報種別名と同一である場合は、前記ネットワーク識別子を用いてネットワーク接続し、前記ネットワーク識別子と同一名の情報配信サーバから前記情報種別名に対応する情報を取得することを特徴とする。
【００２９】
上記課題を解決するために、請求項１０に記載のアクセスポイントは、
無線送受信部と、
有線送受信部と、
前記無線送受信部と有線送受信部とを制御する制御部とを有し、
前記無線送受信部は、情報種別名と同一名のネットワーク識別子を用いて報知し、前記無線送受信部が無線ＬＡＮ端末から前記情報種別名と同一名のネットワーク識別子を用いた情報の取得の要求を受けた場合には、前記有線送受信部は、前記ネットワーク識別子に対応した情報サーバから情報を取得し、前記無線送受信部は、前記取得した情報を前記無線ＬＡＮ端末に送信することを特徴とする。
【００３０】
また、好ましい態様として、前記アクセスポイントは、複数のネットワーク識別子を報知することができるものであってもよい。
【発明の効果】
【００３１】
本願発明によって、ＰＵＳＨ型の情報配信サービスでも、ユーザが必要としない情報の配信を押し付けない無線システムを提供することができる。
【００３２】
本願発明によって、サーバ、データベース等にユーザが事前の登録をする必要のないＰＵＳＨ型の情報配信サービスを提供することができる。
【００３３】
本願発明によって、ユーザに事前の登録を強要する必要のないＰＵＳＨ型の情報配信サービスを提供することができる。
【００３４】
本願発明によって、ネットワーク識別子と、情報配信サーバの管理が容易な無線システムを提供することができる。
【００３５】
本願発明によって、ＳＳＩＤと情報ジャンル名を同一にする態様では、情報ジャンルの管理が容易になる。
【発明を実施するための最良の形態】
【００３６】
本発明を実施するための最良の形態について説明する。なお、以下説明する実施形態は、本願発明の技術的範囲を制限するものではない。
【実施例１】
【００３７】
本願発明の第１の実施例について説明する。図１は、本願発明に係る無線ＬＡＮシステムの構成を示した図である。
【００３８】
無線ＬＡＮ端末１は、セル６内でアクセスポイント２と無線ＬＡＮ技術によって無線通信することができる。セル６はアクセスポイント２と無線ＬＡＮ技術によって接続可能な領域である。
【００３９】
アクセスポイント２は、無線ＬＡＮ端末１及びＶＬＡＮスイッチ３と通信し、両者間を中継する中継器である。アクセスポイント２は、複数のＳＳＩＤ（Service Set Identifier：無線ＬＡＮネットワークの識別子の１つ）を報知することができるアクセスポイントである。
【００４０】
ＶＬＡＮスイッチ３は、バーチャルＬＡＮ（Ｖｉｒｔｕａｌ  ＬＡＮ）スイッチである。物理的接続とは別に、仮想的にＬＡＮを構築する。
【００４１】
情報配信サーバ４及び情報配信サーバ５は、無線ＬＡＮ端末１に配信する情報を蓄積し、無線ＬＡＮ端末１に情報の配信を行う機能を有する。本実施例では、情報配信サーバ４は買い物情報を多数蓄積し、情報配信サーバ５はニュース情報を多数蓄積する。情報配信サーバの蓄積情報は、例えば、図示しない有線又は無線の通信回線を介して別の情報配信機器から受信する。
【００４２】
本願発明では、無線ＬＡＮ端末１が保持する情報種別名と、アクセスポイント２が報知するＳＳＩＤと、情報配信サーバのホスト名は同一名で管理されている。情報配信サーバ４のホスト名は、ＳＨＯＰＰＩＮＧ＿ＩＮＦＯであり、情報配信サーバ５のホスト名は、ＮＥＷＳである。
【００４３】
次に図１を用いて、本実施例に係る無線ＬＡＮシステムの動作の概要について説明する。アクセスポイント２は通信に必要な様々な情報を周辺の無線ＬＡＮ端末に知らしめるため、ビーコンを報知する。ビーコンには、ＳＳＩＤフィールドと呼ばれる領域が予め割り当てられており、ＳＳＩＤが含まれる。アクセスポイント２は、ビーコンを用いて、ＳＳＩＤとして『ＳＨＯＰＰＩＮＧ＿ＩＮＦＯ』と『ＮＥＷＳ』の２つを報知する。
【００４４】
無線ＬＡＮ端末１がセル６内に入ると、無線ＬＡＮ端末１はアクセスポイント２が報知したＳＳＩＤを含むビーコンを受信する。無線ＬＡＮ端末１には、後述するように、自己の属するべきＳＳＩＤを予め記憶装置に記憶している。報知されたＳＳＩＤが、自己の記憶装置に記憶したＳＳＩＤと同一ならば、アクセスポイント２に対し当該ＳＳＩＤで識別されるネットワークに接続する。そして、後述する動作によって、ＳＳＩＤと同じホスト名の情報サーバから所望の情報の配信を受ける。
【００４５】
次に、無線ＬＡＮ端末１について説明する。図２は、図１の無線ＬＡＮ端末１の内部構成を示すブロック図である。同図において、本願発明と関係のない部分については省略されている。制御回路１０は、無線送受信回路１１、記憶装置１２を制御する回路である。制御回路１０は、ＣＰＵなどから構成される。無線送受信回路１１は、無線ＬＡＮ技術を用いて無線信号の送受信を行う回路である。アンテナ１３は、アクセスポイント２と無線通信を行うためのアンテナである。記憶装置１２は種々の情報を記憶する装置である。例えば、無線ＬＡＮ端末１の制御プログラム、後述する情報種別名と情報取得命令が対となった表を記憶している。操作部１４は、ユーザが無線ＬＡＮ端末１の操作のため使用するキーボード、キーパッドなどである。表示部１５は、操作に必要な情報や、情報配信を受けた情報の表示に使用されるＬＣＤ、有機ＥＬなどの表示装置である。制御回路１０、送受信回路１１、記憶装置１２、操作部１４、表示部１５はバスで接続されている。
【００４６】
図２は本願発明に係る無線ＬＡＮ端末１のハードウェアの構成を示しているのに対し、図３は、本願発明に係る無線ＬＡＮ端末１の機能の構成を示すブロック図である。同図において、本願発明と関係のない部分については省略されている。アンテナ１３は、図２のアンテナと同一である。無線送受信部２１は、ハードウェアとしては、図２の無線送受信回路１１と同一であるが機能として表現している。制御部２０は、制御回路１０上で動作する制御機能である。情報格納部２３、情報登録部２４は、ハードウェアとしては記憶装置１２である。情報格納部２３は、情報配信サーバ４又は５から配信された情報を格納する機能を有しており、情報登録部２４は後述する情報種別名と情報取得命令とが対になった表を格納する機能有している。
【００４７】
機能的には図３に示すように、制御部２０は、無線送受信部２１、情報格納部２３、情報登録部２４をそれぞれ制御する。
【００４８】
図４は、無線ＬＡＮ端末１内の情報登録部２４に記憶される情報種別名と情報取得命令とが対になった表を示す図である。情報種別名とは、無線ＬＡＮ端末１が配信を受ける情報の種別を表す。図４にあるように、例えば、情報種別名がＳＨＯＰＰＩＮＧ＿ＩＮＦＯなら、周辺の買い物情報を表す。買い物情報とは、例えば、周辺のお店でセールをしているといった情報や、期間限定の定食が提供されているといった情報である。また、例えば、情報種別名がＮＥＷＳなら、周辺又は現在時刻のニュース情報を表す。ニュース情報とは、例えば、周辺の事件やその地方の天気予報、また、現在時刻でまとめられた全国ニュースなどの情報である。
【００４９】
一方、本願発明において、情報取得命令とは、対応する情報種別名を取得するための一連の命令を意味する。本実施例の無線ＬＡＮシステムでは、情報種別名とＳＳＩＤは同一名で管理されている。よって、無線ＬＡＮ端末１が、情報種別名で規定される情報を取得するためには、情報種別名と同一のＳＳＩＤのネットワークに接続し、情報配信要求をすることが必要となる。情報取得命令にはそのための一連の手続が規定されている。
【００５０】
例えば、情報種別名がＳＨＯＰＰＩＮＧ＿ＩＮＦＯの場合、一連の手続とは、無線ＬＡＮ端末１が、ＳＨＯＰＰＩＮＧ＿ＩＮＦＯというＳＳＩＤのネットワークに接続して、ホスト名がＳＨＯＰＰＩＮＧ＿ＩＮＦＯである情報配信サーバ４へ買い物情報の配信を要求する手続である。ネットワークへの接続は、無線ＬＡＮ技術で規定されている既知の取り決めに基づいて行う。
【００５１】
なお、情報種別名と情報取得命令は、図４のように必ずしも表形式となって情報登録部２４に記憶される必要はない。例えば、無線ＬＡＮネットワークへの帰属、サーバへの問合せなどは決まった手続であるため、ＳＳＩＤ、ホスト名のみ空白にした一連の手続を予め情報登録部２４に保存しておき、ユーザによってある情報種別名の情報配信が希望された場合に、一連の手続の空白部分に情報種別名を代入して、手続を行うようにすることも可能である。
【００５２】
次に、アクセスポイント２について説明する。図５は、図１のアクセスポイント２の内部構成を示すブロック図である。同図において、本願発明と関係のない部分については省略されている。制御回路３５は、無線送受信回路３１、記憶装置３２、入出力回路３４を制御する回路である。制御回路３５は、ＣＰＵなどから構成される。無線送受信回路３１は、無線ＬＡＮ技術を用いて無線信号の送受信を行う回路である。アンテナ３３は、無線ＬＡＮ端末１と無線通信を行うためのアンテナである。記憶装置３２は種々の情報を記憶する装置である。例えば、アクセスポイント２の制御プログラム、また、後述するＳＳＩＤとＶＬＡＮタグが対となった表を記憶する。入出力回路３４は、ＶＬＡＮスイッチ３と通信をするためのインターフェイス回路である。制御回路３５、無線送受信回路３１、記憶装置３２、入出力回路３４は全てバスで接続されている。
【００５３】
図６は、ＳＳＩＤ名とＶＬＡＮタグとが対になった表を示す図である。この表は、アクセスポイント２内の記憶装置３２に記憶される。アクセスポイント２は、本表に基づいて、無線ＬＡＮ端末１とＶＬＡＮスイッチ３との間の通信を中継する。
【００５４】
ＶＬＡＮタグとは、ＶＬＡＮを区別するための識別子である。アクセスポイント２は、ＶＬＡＮタグの付加、除去機能を有している。本実施例では、ＳＨＯＰＰＩＮＧ＿ＩＮＦＯのＳＳＩＤはタグの内容が１００であるＶＬＡＮタグで管理されるＶＬＡＮが、ＮＥＷＳのＳＳＩＤはタグの内容が２００であるＶＬＡＮタグで管理されるＶＬＡＮが対応する。以下の説明では、ＶＬＡＮタグの内容が１００であるＶＬＡＮタグを単にＶＬＡＮタグ１００と、ＶＬＡＮタグの内容が２００であるＶＬＡＮタグを単にＶＬＡＮタグ２００と記載することとする。
【００５５】
アクセスポイント２は、無線ＬＡＮ端末１からＳＨＯＰＰＩＮＧ＿ＩＮＦＯをＳＳＩＤとするネットワークへのフレームの受信があった場合には、受信したフレームにＶＬＡＮタグ１００を付加し、ＶＬＡＮスイッチ３へ転送する。一方、無線ＬＡＮ端末１からＮＥＷＳをＳＳＩＤとするネットワークへのフレームの受信があった場合には、無線ＬＡＮ端末１から受信したフレームにＶＬＡＮタグ２００を付加し、ＶＬＡＮスイッチ３へ転送する。
【００５６】
一方、ＶＬＡＮスイッチ３からフレームを受信した場合、ＶＬＡＮタグ１００が付加されているフレームの場合には、ＶＬＡＮタグ１００を除去した上で、ＳＨＯＰＰＩＮＧ＿ＩＮＦＯをＳＳＩＤとするネットワークに帰属している無線ＬＡＮ端末１に対して、当該フレームを送信する。また、ＶＬＡＮスイッチ３からＶＬＡＮタグ２００が付加されているフレームを受信した場合には、ＶＬＡＮタグ２００を除去した上で、ＮＥＷＳをＳＳＩＤとするネットワークに帰属している無線ＬＡＮ端末１に対して、当該フレームを送信する。
【００５７】
次に、ＶＬＡＮスイッチ３について説明する。図７は、図１のＶＬＡＮスイッチ３の内部構成を示すブロック図である。同図において、本願発明と関係のない部分については省略されている。制御回路４３は、ＣＰＵなどから構成される。入出力回路４４は、アクセスポイント２、情報配信サーバ４及び５と情報の送受信を行うインターフェイス回路である。記憶装置４２は、種々の情報を記憶する装置である。例えば、ＶＬＡＮスイッチ３の制御プログラム、また、後述するＶＬＡＮタグとポート番号が対となった表を記憶する。制御回路４３、入出力回路４４、記憶装置４２はバスで接続されている。
【００５８】
図８は、ＶＬＡＮタグとポート番号とが対になった表を示す図である。この表は、ＶＬＡＮスイッチ３内の記憶装置４２に記憶される。ＶＬＡＮスイッチ３も、ＶＬＡＮタグの付加、除去機能を有している。ＶＬＡＮスイッチ３は、本表に基づいて、アクセスポイント２と情報配信サーバ４及び５との間の通信を中継する。
【００５９】
ポート番号とは、ＶＬＡＮスイッチ３が有する物理的、または論理的な出力の識別番号を示すものである。例えば、物理的な出力の識別番号の場合、ＶＬＡＮスイッチ３の筐体には、ポート番号で区別された出力プラグが備わっており、その出力プラグから、データが送受信される。本実施例では、物理的な出力の識別番号である。また、図８では、ＶＬＡＮタグ１００はポート番号１番と２番のポートに、ＶＬＡＮタグ２００はポート番号１番と３番のポートに対応する。
【００６０】
ＶＬＡＮスイッチ３は、アクセスポイント２からＶＬＡＮタグ１００が付加されたフレームを、ポート１を介して受信すると、ＶＬＡＮタグ１００を除去した上でポート２を介して転送する。また、ＶＬＡＮタグ３は、アクセスポイント２からＶＬＡＮタグ２００が付加されたフレームを、ポート１を介して受信すると、ＶＬＡＮタグ２００を除去した上でポート３を介して転送する。
【００６１】
また、情報配信サーバ４からＶＬＡＮタグなしのフレームを、ポート２を介して受信すると、ＶＬＡＮタグ１００を付加した上でポート１を介して、アクセスポイント２に転送する。また、情報配信サーバ５からＶＬＡＮタグなしのフレームを、ポート３を介して受信すると、ＶＬＡＮタグ２００を付加した上でポート１を介して、アクセスポイント２に転送する。
【００６２】
本実施例では、ポート２に情報配信サーバ４が接続され、ポート３に情報配信サーバ５が接続されている。なお、情報配信サーバ４は買い物情報を多数蓄積し、情報配信サーバ５はニュース情報を多数蓄積している。
【００６３】
図１の無線ＬＡＮシステムの情報配信サーバ４及び５について説明する。ここで、情報配信サーバ４及び５は、記憶する情報の種別が異なるだけでハードウェアの構成は同一である。ここでは、情報配信サーバ４の構成についてのみ説明し、情報配信サーバ５の構成については、説明の冗長を避けるため説明を省略する。
【００６４】
図９は、本実施例に係る情報配信サーバ４の内部構成を示すブロック図である。同図において、本願発明と関係のない部分については省略されている。制御回路５１は、ＣＰＵなどから構成される。入出力回路５３は、ＶＬＡＮスイッチ３と情報の送受信を行うインターフェイス回路である。記憶装置５２は、情報配信サーバ４の制御プログラム、また、無線ＬＡＮ端末１に配信するべき買い物情報を格納する。制御回路５１、記憶装置５２、入出力回路５３はバスで接続されている。
【００６５】
図１０は、無線ＬＡＮ端末１が、情報配信を受けるまでの動作を示した図である。まず、無線ＬＡＮ端末１は、アクセスポイント２から定期的に報知されるビーコンを受信する（Ｓ１０１）。ビーコンを受信しない場合は、情報配信のための動作を終了する。一方、ビーコンを受信した場合は、ビーコン内のフィールドに格納されるＳＳＩＤと無線ＬＡＮ端末１が情報登録部２４に記憶している情報種別名とが一致するかどうか確認する（Ｓ１０２）。
【００６６】
ＳＳＩＤと情報種別名が一致しない場合は、情報配信のための動作を終了する。一方、一致する場合は、情報配信要求をアクセスポイント２に対して送信する（Ｓ１０３）。情報配信要求とは、情報取得命令の中の一部であり、情報配信サーバに情報配信を要求するコマンドである。
【００６７】
その後、情報種別名に対応する情報を受信したかを確認する（Ｓ１０４）。情報を受信した場合は、当該情報を情報格納部に記憶する（Ｓ１０５）。そして、情報配信のための動作を終了する。
【００６８】
一方、当該情報を受信していない場合は、再び情報を受信したかどうかを確認する（Ｓ１０４）。
【００６９】
なお、図示していないが情報配信要求の送信エラーや、アクセスポイント２のエラーなどを原因として、情報配信を希望した情報が送信されない場合のため、ある期間内に要求した情報が受信されない場合に、Ｓ１０４で構成される無限ループを出るように設定しておくことが好ましい。
【００７０】
また、ビーコンに複数のＳＳＩＤが格納されている場合において、情報登録部２４に記憶された複数の情報種別名が一致する場合、上述の動作は繰り返し行われ、指定した全ての情報の配信を受けることが好ましい。
【００７１】
繰り返し動作では種々の態様が可能である。例えば、すでにビーコンを受信し別のＳＳＩＤが一致していることがわかっている場合には、Ｓ１０３の情報配信要求の送信ステップから開始することができる。Ｓ１０１、Ｓ１０２の動作を省略することで、無線ＬＡＮ端末１の早い応答が可能となる。また、無線ＬＡＮ端末１の無駄な動作を低減することが可能となり、消費電力の低下も期待できる。
【００７２】
また、無線ＬＡＮ端末１は移動することもあるため、すでに先のセルの外に移動している場合もある。よって、Ｓ１０１のビーコン受信の確認ステップからすることも好ましい。例えば、先のビーコン受信から所定時間経過した場合には、Ｓ１０１から動作を繰り返し、そうでない場合には、Ｓ１０２又はＳ１０３から動作を繰り返すことで、セル外移動のリスク低減と、無線ＬＡＮ端末１の消費電力低減とのバランスを取ることができる。
【００７３】
図１１は、無線ＬＡＮ端末１が、情報配信サーバ４又は５に接続し情報配信を受けるまでの動作を示した図である。
【００７４】
無線ＬＡＮ端末１は、図４で示した情報種別名のうちＳＨＯＰＰＩＮＧ＿ＩＮＦＯおよびＮＥＷＳとその対応する情報取得命令を情報登録部２４に記憶している。また、無線ＬＡＮ端末１は、初期状態において、どの無線ＬＡＮにも接続していない。
【００７５】
アクセスポイント２はビーコンを送信する（Ｓ２０１）。無線ＬＡＮ端末１はアクセスポイント２が報知するビーコンを受信する。
【００７６】
本実施例では、ビーコンの所定のフィールドにＳＨＯＰＰＩＮＧ＿ＩＮＦＯ及びＮＥＷＳという２つのＳＳＩＤが格納されている。無線ＬＡＮ端末１はこのフィールドを確認する。つまり、無線ＬＡＮ端末１は、報知されているＳＳＩＤとしてＳＨＯＰＰＩＮＧ＿ＩＮＦＯとＮＥＷＳを確認する。
【００７７】
次に、報知されているＳＳＩＤが自己の情報登録部２４に記憶している情報種別名と一致するかどうかを判断する。一致した場合、無線ＬＡＮ端末１は情報配信要求を送信する（Ｓ２０２）。
【００７８】
本実施例の場合は、無線ＬＡＮ端末１は、ＳＨＯＰＰＩＮＧ＿ＩＮＦＯ及びＮＥＷＳの２つのＳＳＩＤを受信し、当該ＳＳＩＤが、図４で示す自己の情報登録部２４の情報種別名と一致するかどうかを判断する。ここで、情報登録部２４の情報種別名の少なくとも１つが報知されるＳＳＩＤと一致すれば、情報配信要求を送信する（Ｓ２０２）。
【００７９】
ここで、一致する情報種別名が２以上ある場合、いずれかの情報種別名に対応した情報配信要求を、他の情報種別名に対応した情報配信要求よりも優先させることとなるが、この優先をつける方法については種々の方法がある。例えば、アルファベット順で優先する方法である。本実施例でこの方法を採用した場合には、Ｎの方がＳより先なので、ＮＥＷＳに対応する情報配信要求がＳＨＯＰＰＩＮＧ＿ＩＮＦＯに対応する情報配信要求よりも優先する。
【００８０】
また、例えば、予めユーザが情報種別名に優先順位をつける方法がある。ユーザがＳＨＯＰＰＩＮＧ＿ＩＮＦＯをＮＥＷＳより優先させる設定をした場合には、無線ＬＡＮ端末１はＳＨＯＰＰＩＮＧ＿ＩＮＦＯに関する情報配信要求を先に送信する。
【００８１】
以下の説明では、ＳＨＯＰＰＩＮＧ＿ＩＮＦＯに関する情報配信要求を送信したとして説明する。アクセスポイント２は、無線ＬＡＮ端末１から情報配信要求を受信し、その情報配信要求を含むフレームにＶＬＡＮタグを付加する。アクセスポイント２は、図６で示した表に基づいてＶＬＡＮタグを付加する。
【００８２】
本実施例では、アクセスポイント２は、無線ＬＡＮ端末１から受信したフレームに対し、ＳＨＯＰＰＩＮＧ＿ＩＮＦＯに対応するＶＬＡＮタグ１００を付加し、ＶＬＡＮスイッチ３へ出力する（Ｓ２０３）。
【００８３】
ＶＬＡＮタグが付加された情報配信要求を含むフレームはＶＬＡＮスイッチ３へ送信される。ＶＬＡＮスイッチ３は、自ら記憶する図８で示した表に基づいて、そのフレームに付加されたＶＬＡＮタグに対応するポートから当該フレームを出力する。
【００８４】
本実施例では、ＶＬＡＮスイッチ３は、アクセスポイント２から受信したフレームのＶＬＡＮタグがＶＬＡＮタグ１００であることを判断し、当該フレームからＶＬＡＮタグを除去した上で、ポート２からフレームを出力する（Ｓ２０４）。ＶＬＡＮスイッチ３のポート２は情報配信サーバ４と接続されている。よってＶＬＡＮスイッチ３から送信されたフレームは情報配信サーバ４で受信される。
【００８５】
情報配信サーバ４は情報配信要求を含むフレームを受信し、情報配信要求に対応する情報をＶＬＡＮスイッチ３に送信する（Ｓ２０５）。ここで、情報配信サーバ４が送信する情報は買い物情報である。
【００８６】
ＶＬＡＮスイッチ３は情報配信サーバ４からポート２を介してフレームを受信する。ＶＬＡＮスイッチ３は受信したフレームに対して、図８の対応表に基づいて、当該受信フレームに対してＶＬＡＮタグ１００を付加したうえで、アクセスポイント２へ送信する（Ｓ２０６）。
【００８７】
アクセスポイント２はＶＬＡＮスイッチ３から受信したフレームのＶＬＡＮタグを除去し、ＳＨＯＰＰＩＮＧ＿ＩＮＦＯのＳＳＩＤで管理されるネットワークに接続した無線ＬＡＮ端末１に送信する（Ｓ２０７）。以上で、動作が終了する。
【００８８】
上述の説明では、無線ＬＡＮ端末１が情報配信サーバ４から情報の配信を受ける動作を説明した。図１２では、無線ＬＡＮ端末１が情報配信サーバ５から情報の配信を受ける動作を示している。
【００８９】
しかし、当該動作は、基本的に図１１で示した動作と基本的に同様なので説明の冗長を避けるために省略する。
【００９０】
主な相違点は、無線ＬＡＮ端末１が情報配信サーバ５に対して情報配信要求をすること、アクセスポイント２がＶＬＡＮタグ２００を付加すること、ＶＬＡＮスイッチ３がポート３を介して情報配信サーバとやり取りをすることである。
【００９１】
なお、本実施例では図１１の動作によって無線ＬＡＮ端末１が買い物情報を得た後に、図１２の動作によって、ニュース情報を得る。このような動作をすることで、無線ＬＡＮ端末１は情報登録部２４に記憶した情報種別目の情報のうち、取得可能なものをすべて受信することができる。また、この情報配信動作はユーザの操作を必要としないので、ユーザからみてプッシュ型の情報配信となる。
【００９２】
なお、ビーコンに複数のＳＳＩＤが格納されており、図１１の動作を行った後に図１２の動作を連続的に行う場合には、ビーコン受信ステップ（Ｓ３０１）を省略することも可能である。このような態様によって、無線ＬＡＮ端末１は、すばやく複数の情報配信を受けることが可能となる。
【００９３】
以上の様に、情報種別名とＳＳＩＤと情報配信サーバのホスト名を同一名称で管理することにより、必要な情報の配信を受けるために、ユーザは無線ＬＡＮ端末１の中に取得する情報種別名を設定するだけでよい。つまり、上述のような管理方法をとることで、アクセスすべきネットワークのＳＳＩＤ、情報配信サーバをユーザが意識する必要がなくなるので、ユーザの設定負荷を低減することができる。
【００９４】
また、以上の様に情報種別名とＳＳＩＤと情報配信サーバのホスト名を同一名称で管理することで、予めネットワーク側でユーザ毎に情報種別名を管理する必要がない。また、本実施例では、無線ＬＡＮ端末１が記憶する情報種別名として、ＳＨＯＰＰＩＮＧ＿ＩＮＦＯとＮＥＷＳの二種類で説明をしたが、三種類以上記憶してもよい。例えば、ＷＥＡＴＨＥＡＲという情報種別名で、周辺の天気情報を対応させてもよい。また、その場合アクセスポイント３は、報知するＳＳＩＤにＷＥＡＴＨＥＲを加えることになる。
【００９５】
また、本実施例では、情報配信サーバ４及び５は、ＶＬＡＮスイッチ３のポートの先に直接接続されているとして説明したが、ＶＬＡＮスイッチ３のポートの先にＬＡＮを構築し、そのＬＡＮ内に情報配信サーバ４及び５を設置してもよい。
【００９６】
また、本実施例では、情報種別名とＳＳＩＤと情報配信サーバのホスト名が完全同一名称であったが、予め定められたルールによって一対一に対応していればこの他の命名法でも構わない。ルールさえ予め定められていれば、ユーザは情報種別名さえ設定すれば、あとは自動的に接続すべきＳＳＩＤ、情報配信サーバのホスト名を知ることができるからである。
【００９７】
例えば、情報種別名の頭に『Ｓ』の文字をつけたものをＳＳＩＤとし、情報種別名の頭に『Ｈ』の文字をつけたものをホスト名とすればよい。予めそのルールを確定しておくことで、無線ＬＡＮ端末１に、情報種別名から接続すべきＳＳＩＤ、接続すべき情報配信サーバのホスト名を作り出すソフトウェアを予め搭載しておけば、ユーザは情報種別名の入力のみでＰＵＳＨ型かつ選択型の情報配信サービスを受けることができる。
【実施例２】
【００９８】
次に、本願発明の第２の実施例について説明する。第１の実施例の無線ＬＡＮ端末１は、記憶装置１２にて、図４で示す情報種別名と情報取得命令の対の情報を記憶していた。しかし、第２の実施例の無線ＬＡＮ端末１は、図１３で示すような表を記憶装置１２に記憶する。
【００９９】
第１の実施例と異なるのは、各情報種別名に対して『状態』という属性を追加した点である。状態とは、その情報種別名で規定される情報の取得を行うか否かを判断するための属性である。状態１は、その情報の取得を希望すること、状態０は、その情報の取得を希望しないことを意味する。
【０１００】
図１３を用いて具体的に説明すると、情報種別名『ＳＨＯＰＰＩＮＧ＿ＩＮＦＯ』については、状態が１であるため、アクセスポイント２が『ＳＨＯＰＰＩＮＧ＿ＩＮＦＯ』と『ＮＥＷＳ』のＳＳＩＤを報知している場合には、無線ＬＡＮ端末１は、買い物情報のみ配信を要求する。詳細は、第１の実施例の同様である。
【０１０１】
しかし、情報種別名『ＮＥＷＳ』については、状態が０であるため、たとえアクセスポイント２が『ＮＥＷＳ』のＳＳＩＤを報知していたとしても、無線ＬＡＮ端末１は、周辺の天気の情報の配信は要求しない。
【０１０２】
無線ＬＡＮ端末１が記憶する情報種別名に関する情報に、状態という属性を付加することで、予め設定した情報種別から配信の必要な情報を適宜設定することができ、ユーザの利便性が向上する。
【実施例３】
【０１０３】
次に、本願発明の第３の実施例について説明する。第１の実施例の構成では、情報配信サーバ４及び５のみがＶＬＡＮスイッチ３に接続されていたが、第２の実施例の構成では、課金や認証を行うＲＡＤＩＵＳ（Ｒｅｍｏｔｅ  Ａｕｔｈｅｎｔｉｃａｔｉｏｎ  Ｄｉａｌ  Ｉｎ  Ｕｓｅｒ  Ｓｅｒｖｉｃｅ）サーバ４７及び４８を設置して、配信する情報の価値によってアクセスポリシーや課金を行う。
【０１０４】
図１４は、第３の実施例に係るシステムの構成を示した図である。無線ＬＡＮ端末１、セル７６、情報配信サーバ４及び５は実施例１の対応物と同じなので、冗長を避けるために説明を省略する。
【０１０５】
まず、システム全体について説明する。情報配信サーバ４又は５が無線ＬＡＮ端末４１に情報を配信する前に、無線ＬＡＮ端末４１についてＲＡＤＩＵＳサーバ７８及び７９が無線ＬＡＮ端末１の認証を行う。その後に、無線ＬＡＮ端末１に対して情報配信サーバ４又は５が情報を配信する。
【０１０６】
次に、アクセスポイント７２について説明する。アクセスポイント７２の構成は第１の実施例のアクセスポイント２の構成と同一であるが、記憶装置３２に記憶するＳＳＩＤとＶＬＡＮタグの内容との対応表が異なる。アクセスポイント７２は、図６で示す対応表の代わりに図１５で示す対応表を内部の記憶装置に記憶する。
【０１０７】
ここで、図１５について説明する。図１５の表では、ＳＳＩＤ『ＳＨＯＰＰＩＮＧ＿ＩＮＦＯ』について、１００を内容とするＶＬＡＮタグと、１０００を内容とするＶＬＡＮタグが割り当てられている。また、ＳＳＩＤ『ＮＥＷＳ』について、２００を内容とするＶＬＡＮタグと２０００を内容とするＶＬＡＮタグが割り当てられている。以下、１００を内容とするＶＬＡＮタグをＶＬＡＮタグ１００、１０００を内容とするＶＬＡＮタグをＶＬＡＮタグ１０００、２００を内容とするＶＬＡＮタグをＶＬＡＮタグ２００、２０００を内容とするＶＬＡＮタグをＶＬＡＮタグ２０００と記載することとする。
【０１０８】
ＶＬＡＮタグ１０００とＶＬＡＮタグ２０００は、ＲＡＤＩＵＳサーバへの認証用のフレームについて使用されるＶＬＡＮタグであり、ＶＬＡＮタグ１００とＶＬＡＮタグ２００は通信用、つまり制御用以外の通信フレームに対して使用されるＶＬＡＮタグである。
【０１０９】
ＶＬＡＮスイッチ７３について説明する。ＶＬＡＮスイッチ７３の構成は第１の実施例のＶＬＡＮスイッチ３の構成と同一であるが、記憶装置４２に記憶するＶＬＡＮタグの内容とポート番号との対応表が異なる。ＶＬＡＮスイッチ７３は、図８で示す対応表の代わりに図１６で示す対応表を内部の記憶装置に記憶する。
【０１１０】
図１６について説明する。図１６の表では、ＶＬＡＮタグ１００にポートの１番と２番が対応し、ＶＬＡＮタグ１０００がポートの１番と４番に対応する。また、ＶＬＡＮタグ２００にポートの１番と３番が対応し、ＶＬＡＮタグ２０００にポートの１番と５番が対応する。
【０１１１】
本実施例のシステムの動作について図１７を用いて説明する。図１７は、ＲＡＤＩＵＳサーバ７７を用いて無線ＬＡＮ端末１が認証される手続を示している。アクセスポイント２は、定期的にビーコンを報知する（Ｓ４０１）。無線ＬＡＮ端末１は、アクセスポイント７２のセル７６の範囲内に入ると、ビーコンを受信する。
【０１１２】
本実施例でも、報知されるビーコンの所定のフィールドにＳＨＯＰＰＩＮＧ＿ＩＮＦＯ及びＮＥＷＳというＳＳＩＤが格納されている。無線ＬＡＮ端末１はこのフィールドを確認する。つまり、無線ＬＡＮ端末１は、報知されているＳＳＩＤとしてＳＨＯＰＰＩＮＧ＿ＩＮＦＯとＮＥＷＳを確認する。
【０１１３】
次に、報知されているＳＳＩＤが自己の情報登録部２４に記憶している情報種別名と一致するかどうかを判断する。ＳＳＩＤが一致しない場合は終了する。一方、ＳＳＩＤが一致した場合、無線ＬＡＮ端末１は認証情報を送信する（Ｓ４０２）。認証情報は、自己の記憶装置１２に予め定められたユーザＩＤ、パスワードから構成される
なお、無線ＬＡＮ端末１の認証確認の有無に関する情報は、アクセスポイント７２の記憶装置３２に記憶されており、アクセスポイント７２はこの情報に基づいて動作する。
【０１１４】
アクセスポイント７２は、無線ＬＡＮ端末１から認証情報を受信する。アクセスポイント７２は、この無線ＬＡＮ端末１がまだ認証されていないことを自己の記憶装置３２を用いて確認し、ＶＬＡＮタグ１０００を付加した上で、ＶＬＡＮスイッチ７３に転送する（Ｓ４０３）。
【０１１５】
ＶＬＡＮスイッチ７３は、アクセスポイント７２から、ＶＬＡＮタグ１０００が付加されたフレームを受信し、その内容を確認する。ＶＬＡＮタグの内容が１０００であることから、図１６の表に基づいてＶＬＡＮタグを除去した上で、当該フレームを４番のポートから出力する（Ｓ４０４）。
【０１１６】
４番のポートは、ＲＡＤＩＵＳサーバ７７に接続されている。ＲＡＤＩＵＳサーバ７７は、ＶＬＡＮスイッチ７３から受信した認証情報を含むフレームを用いて無線ＬＡＮ端末１を認証する。ユーザＩＤとパスワードが正しいことで認証が成功すれば、成功である旨の認証結果を、ユーザＩＤとパスワードが正しくないことで認証が不成功であった場合は、不成功である旨の認証結果を、ＶＬＡＮスイッチ７３に送信する（Ｓ４０５）。
【０１１７】
ＶＬＡＮスイッチ７３は、ポート番号４番からフレームを受信し、図１６の表に基づいて当該フレームをポート番号１番のポートから出力する（Ｓ４０６）。出力に際し、ＶＬＡＮスイッチ７３は、ＶＬＡＮタグ１０００を付加する。
【０１１８】
アクセスポイント７２は、受信したフレームからＶＬＡＮタグ１０００を除去した上で、無線ＬＡＮ端末１へ送信する（Ｓ４０７）。この時、アクセスポイント７２は、自己の記憶装置３２にある無線ＬＡＮ端末１の認証確認の有無に関する情報を更新する。
【０１１９】
無線ＬＡＮ端末１は、アクセスポイント７２から認証結果を受信する。認証が成功した場合は、再度情報配信サーバ７７に情報配信の要求を行う。これ以降の動作は、図１３のＳ２０２又は図１４のＳ３０２以降と同様なので、冗長を避けるために説明を省略する。
【０１２０】
また、認証が不成功の場合は、その後無線ＬＡＮ端末１が再度情報配信サーバ７７に情報配信の要求を行ったとしても、認証が成功しない限り情報の配信を受けることはできないこととなる。
【０１２１】
以上のように、無線ＬＡＮ端末１への情報配信に際し、ＲＡＤＩＵＳサーバを用いることで特定のユーザにのみ情報の提供を行うシステムを実現することができる。その結果、ネットワークの運用者は、配信情報の種別によって、アクセス制限をかけることが可能となる。また、ＲＡＤＩＵＳサーバに課金機能を搭載すれば、配信情報の種別によって課金をしたりしなかったりといった設定が可能となる。
【０１２２】
第３の実施例では、ＲＡＤＩＵＳサーバへの認証情報がユーザＩＤとパスワードから構成されていたが、これ以外の態様でも構わない。例えば、パスワードだけで認証情報を構成してもよい。
【０１２３】
上述の第１乃至第３の実施例では、ＶＬＡＮスイッチと情報配信サーバ及びＲＡＤＩＵＳサーバは直接接続されている態様で説明したが、ＶＬＡＮとサーバ間にインターネットを介する態様も可能である。
【図面の簡単な説明】
【０１２４】
【図１】第１の実施例に係る無線ＬＡＮシステムの構成を示す図である。
【図２】第１の実施例に係る無線ＬＡＮ端末の構成を示す図である。
【図３】第１の実施例に係る無線ＬＡＮ端末の機能の構成を示す図である。
【図４】第１の実施例に係る無線ＬＡＮ端末の記憶するデータを示す図である。
【図５】第１の実施例に係るアクセスポイントの構成を示す図である。
【図６】第１の実施例に係るアクセスポイントの記憶するデータを示す図である。
【図７】第１の実施例に係るＶＬＡＮスイッチの構成を示す図である。
【図８】第１の実施例に係るＶＬＡＮスイッチの記憶するデータを示す図である。
【図９】第１の実施例に係る情報配信サーバの構成を示す図である。
【図１０】第１の実施例に係る無線ＬＡＮ端末の動作を示す図である。
【図１１】第１の実施例に係る無線ＬＡＮシステムの動作を示す図である。
【図１２】第１の実施例に係る無線ＬＡＮシステムの動作を示す図である。
【図１３】第２の実施例に係る無線ＬＡＮ端末の記憶するデータを示す図である。
【図１４】第３の実施例に係る無線ＬＡＮ端末の構成を示す図である。
【図１５】第３の実施例に係るアクセスポイントの記憶するデータを示す図である。
【図１６】第３の実施例に係るＶＬＡＮスイッチの記憶するデータを示す図である。
【図１７】第３の実施例に係る無線ＬＡＮシステムの動作を示す図である。
【符号の説明】
【０１２５】
１  無線ＬＡＮ端末
２  アクセスポイント
３  ＶＬＡＮスイッチ
４  情報配信サーバ
５  情報配信サーバ
６  セル
１０  制御回路
１１  無線送受信回路
１２  記憶装置
１３  アンテナ
１４  操作部
１５  表示部
２１  無線送受信部
２３  情報格納部
２４  情報登録部
３１  送受信回路
３２  記憶装置
３３  制御回路
３４  入出力回路
４２  記憶装置
４３  制御回路
４４  入出力回路
５１  制御回路
５２  記憶装置
５３  入出力回路
７２  アクセスポイント
７３  ＶＬＡＮスイッチ
７７  ＲＡＤＩＵＳサーバ
７８  ＲＡＤＩＵＳサーバ
【図１】
2007005892.tif 000003
【図２】
2007005892.tif 000004
【図３】
2007005892.tif 000005
【図４】
2007005892.tif 000006
【図５】
2007005892.tif 000007
【図６】
2007005892.tif 000008
【図７】
2007005892.tif 000009
【図８】
2007005892.tif 000010
【図９】
2007005892.tif 000011
【図１０】
2007005892.tif 000012
【図１１】
2007005892.tif 000013
【図１２】
2007005892.tif 000014
【図１３】
2007005892.tif 000015
【図１４】
2007005892.tif 000016
【図１５】
2007005892.tif 000017
【図１６】
2007005892.tif 000018
【図１７】
2007005892.tif 000019